(57)【要約】      （修正有）【課題】高齢者の生活状況の異変を周囲に知らせることができる郵便箱を提供する。【解決手段】郵便箱本体１１０と、郵便箱本体１１０の外側に光を発するランプ１３０と、ランプ１３０に電力を供給する乾電池１４０と、郵便箱本体１１０の内部に収容されると共に郵便物の重さを検知する郵便物検知ユニット２００と、を有する。ランプ１３０は、高齢者の生活状況に異変が生じた場合に、その生活状況の異変を知らせるためのものである。ランプ１３０は、郵便箱本体１１０の外側に向かって光を発する。乾電池１４０は、ランプ１３０に電力を供給するためのものである。郵便物検知ユニット２００は、郵便箱１００に郵便物が一定量たまっているか否かを検知するためのものである。郵便物検知ユニット２００は、郵便箱本体１１０の内部に収容されている。また、郵便物検知ユニット２００は郵便箱１００に投函された郵便物の重さを検知する。【選択図】図１
0003194576.tif 000002
【実用新案登録請求の範囲】
【請求項１】
郵便箱本体と、
前記郵便箱本体の外側に光を発するランプと、
前記ランプに電力を供給する乾電池と、
前記郵便箱本体の内部に収容されるとともに郵便物の重さを検知する郵便物検知ユニットと、
を有する郵便箱において、
前記郵便物検知ユニットは、
底板と、
前記底板の上に配置された複数のばねと、
前記複数のばねの上に配置された郵便物載置板と、
前記底板における前記郵便物載置板の側に設けられた第１の金属部材と、
前記郵便物載置板における前記底板の側に設けられた第２の金属部材と、
を有し、
前記郵便物載置板に予め定めた第１の荷重以上の荷重がかかった場合に、
前記第１の金属部材と前記第２の金属部材とが接触するとともに、
前記ランプが点灯し、
前記郵便物載置板に予め定めた第１の荷重未満の荷重がかかった場合に、
前記第１の金属部材と前記第２の金属部材とが接触しないとともに、
前記ランプが点灯しないこと
を特徴とする郵便箱。
【考案の詳細な説明】
【技術分野】
【０００１】
本明細書の技術分野は、郵便箱に関する。
【背景技術】
【０００２】
郵便箱は、特許文献１のように、郵便箱本体と底部とを有していることが一般的である。特許文献１では、郵便箱は、底部の上に波板を有している。そのため、チラシやはがき等が底部にはりつきにくい。よって、使用者は、チラシやはがき等を取り出しやすい。
【先行技術文献】
【特許文献】
【０００３】
【特許文献１】特開２００２−３０６３１３号公報
【考案の概要】
【考案が解決しようとする課題】
【０００４】
ところで、近年、高齢者の一人暮らしが増えている。高齢者の生活状況に問題が生じた場合に、周囲の住民がその変化に気づくことは、一般に非常に難しい。周囲の住民が、高齢者の家の中まで見守ることは通常想定しがたいからである。そのため、高齢者の生活状況に異変が生じた場合に、周囲の住民がその変化に気づけるようにすることが好ましい。
【０００５】
本明細書の技術は、前述した従来の技術が有する問題点を解決するためになされたものである。すなわちその課題とするところは、高齢者の生活状況の異変を周囲に知らせることができる郵便箱を提供することである。
【課題を解決するための手段】
【０００６】
第１の態様における郵便箱は、郵便箱本体と、郵便箱本体の外側に光を発するランプと、ランプに電力を供給する乾電池と、郵便箱本体の内部に収容されるとともに郵便物の重さを検知する郵便物検知ユニットと、を有する。郵便物検知ユニットは、底板と、底板の上に配置された複数のばねと、複数のばねの上に配置された郵便物載置板と、底板における郵便物載置板の側に設けられた第１の金属部材と、郵便物載置板における底板の側に設けられた第２の金属部材と、を有する。この郵便箱では、郵便物載置板に予め定めた第１の荷重以上の荷重がかかった場合に、第１の金属部材と第２の金属部材とが接触するとともに、ランプが点灯する。また、この郵便箱では、郵便物載置板に予め定めた第１の荷重未満の荷重がかかった場合に、第１の金属部材と第２の金属部材とが接触しないとともに、ランプが点灯しない。
【０００７】
この郵便箱においては、郵便物がたまっている場合にランプが点灯し、郵便物がたまっていない場合にランプが点灯しない。そのため、高齢者等が郵便物を回収できないような状態にある場合に、周囲の住民が、その高齢者等の生活状況の異変に気づくことができる。
【考案の効果】
【０００８】
本明細書では、高齢者の生活状況の異変を周囲に知らせることができる郵便箱が提供されている。
【図面の簡単な説明】
【０００９】
【図１】実施形態における郵便箱の概略構成を示す概念図である。
【図２】実施形態における郵便箱の郵便物検知ユニットの構成を示す概念図である。
【図３】実施形態における郵便箱の回路を示す回路図である。
【考案を実施するための形態】
【００１０】
以下、具体的な実施形態について、郵便箱を例に挙げて図を参照しつつ説明する。
【００１１】
１．郵便箱
図１は、本実施形態の郵便箱１００の概略構成を示す概念図である。図１に示すように、郵便箱１００は、底部１０１と、郵便箱本体１１０と、蓋１２０と、ランプ１３０と、乾電池１４０と、郵便物検知ユニット２００と、を有している。底部１０１は、郵便物検知ユニット２００を配置するためのものである。郵便箱本体１１０は、郵便物を収容するためのハウジングである。
【００１２】
ランプ１３０は、高齢者の生活状況に異変が生じた場合に、その生活状況の異変を知らせるためのものである。ランプ１３０は、郵便箱本体１１０の外側に向かって光を発する。乾電池１４０は、ランプ１３０に電力を供給するためのものである。
【００１３】
郵便物検知ユニット２００は、郵便箱１００に郵便物が一定量たまっているか否かを検知するためのものである。郵便物検知ユニット２００は、郵便箱本体１１０の内部に収容されている。また、郵便物検知ユニット２００は、郵便箱１００に投函された郵便物の重さを検知する。
【００１４】
２．郵便物検知ユニット
図２は、郵便物検知ユニット２００の構成を示す概念図である。郵便物検知ユニット２００は、前述のように、郵便箱１００の内部に郵便物が一定量たまっているか否かを検知するためのものである。
【００１５】
郵便物検知ユニット２００は、底板２１０と、複数のばね２３０と、郵便物載置板２２０と、第１の金属部材２４０と、第２の金属部材２５０と、を有する。複数のばね２３０は、底板２１０の上に配置されている。複数のばね２３０は、郵便物の重さにより、郵便物載置板２２０と底板２１０との間の距離を変えるためのものである。そのため、複数のばね２３０は、底板２１０と郵便物載置板２２０との間に配置されている。
【００１６】
第１の金属部材２４０は、底板２１０における郵便物載置板２２０の側に設けられている。第２の金属部材２５０は、郵便物載置板２２０における底板２１０の側に設けられている。つまり、第１の金属部材２４０は、底板２１０に固定されている。第２の金属部材２５０は、郵便物載置板２２０に固定されている。
【００１７】
また、第１の金属部材２４０と第２の金属部材２５０とは、対面して配置されている。そして、郵便物載置板２２０と底板２１０との間の距離により、第１の金属部材２４０と第２の金属部材２５０とは、接触した接触状態と接触しない非接触状態とをとることができる。
【００１８】
郵便物載置板２２０の上に郵便物がない場合もしくは少量の郵便物がある場合には、ばね２３０は、縮んでいないかもしくはわずかに縮む。そのため、郵便物載置板２２０と底板２１０との間の距離は十分に長い。よって、第１の金属部材２４０と第２の金属部材とは、非接触状態にある。
【００１９】
郵便物載置板２２０の上に多量の郵便物がある場合には、ばね２３０は、大きく縮む。そのため、郵便物載置板２２０と底板２１０との間の距離は短い。よって、第１の金属部材２４０と第２の金属部材とは、接触状態にある。
【００２０】
３．回路および郵便箱の動作
図３は、実施形態における郵便箱１００の回路を示す回路図である。図３に示すように、この回路は、ランプ１３０と、乾電池１４０と、第１の金属部材２４０と、第２の金属部材２５０と、により構成されている。そして、第１の金属部材２４０と第２の金属部材とが接触していない場合には、ランプ１３０は点灯しない。第１の金属部材２４０と第２の金属部材とが接触している場合には、ランプ１３０は点灯する。つまり、第１の金属部材２４０および第２の金属部材２５０は、スイッチである。
【００２１】
そして、郵便物載置板２２０に予め定めた第１の荷重以上の荷重がかかった場合に、第１の金属部材２４０と第２の金属部材２５０とが接触するとともに、ランプ１３０が点灯する。郵便物載置板２２０に予め定めた第１の荷重未満の荷重がかかった場合に、第１の金属部材２４０と第２の金属部材２５０とが接触しないとともに、ランプ１３０が点灯しない。
【００２２】
４．郵便物の荷重
例えば、予め定めた第１の荷重は、５００ｇである。新聞の１部の重さは、およそ１５０ｇから２００ｇ程度である。そのため、高齢者が、３日から４日程度郵便箱１００から郵便物を回収していないとランプ１３０が点灯することとなる。
【００２３】
５．使用方法
この郵便箱１００は、一人暮らしの高齢者が使用することに適している。つまり、郵便箱１００に新聞等がたまっている場合に、高齢者の生活状況に異変が生じているとしてランプ１３０が点灯する。このランプ１３０の点灯は、高齢者が郵便物を回収していないことを示す。そして、それは、高齢者が何らかの理由により郵便物を回収できない状況にあることを意味している。したがって、周囲の住民は、その高齢者が郵便物を回収できない状況にあることを認識することができる。そのため、周囲の住民が高齢者の自宅を訪ねたりすることができる。
【００２４】
また、一旦ランプ１３０が点灯している状態になってから、高齢者がずっと郵便物を回収しない場合には、ランプ１３０は、点灯し続けることとなる。そのため、周囲の住民は、より、高齢者の生活状況の異変に気づきやすい。
【００２５】
６．変形例
６−１．閾値
本実施形態では、予め定めた第１の荷重として、５００ｇを採用している。しかし、３００ｇや７００ｇ等、種々の重さを採用してもよい。例えば、第１の荷重として、３００ｇ以上１０００ｇ以下の値を用いてもよい。
【００２６】
６−２．通常の郵便箱について
本実施形態では、ランプ１３０と、乾電池１４０と、郵便物検知ユニット２００と、を有する郵便箱１００について説明した。この郵便箱１００の構成は、非常に簡便なものである。そのため、通常の郵便箱に対しても、ランプ１３０と、乾電池１４０と、郵便物検知ユニット２００と、を両面テープ等で固定することにより、本実施形態の郵便箱１００とすることができる。
【００２７】
７．本実施形態のまとめ
以上詳細に説明したように、本実施形態の郵便箱は、ある一定以上の重さの郵便物がたまった場合に、ランプが光るようになっている。そのため、高齢者がその郵便物をある一定期間取り出していない場合に、ランプが光る。よって、そのランプの光を確認することにより、周囲の住民が、高齢者の生活状況に何らかの異変が生じていることを認識できる。
【符号の説明】
【００２８】
１００…郵便箱
１０１…底部
１１０…郵便箱本体
１２０…蓋
１３０…ランプ
１４０…乾電池
２００…郵便物検知ユニット
２１０…底板
２２０…郵便物載置板
２３０…ばね
２４０…第１の金属部材
２５０…第２の金属部材
【図１】
0003194576.tif 000003
【図２】
0003194576.tif 000004
【図３】
0003194576.tif 000005